(57)【要約】【課題】放電灯13の光出力への影響が少なく、放電灯13を通じて情報を外部に出力できる放電灯点灯装置21を提供する。【解決手段】放電灯13を点灯させるインバータ回路23、放電灯13のフィラメント13aを予熱するフィラメント予熱回路24を備える。フィラメント予熱回路24は、制御部26で制御する電界効果トランジスタQ3，Q4を用い、放電灯13のフィラメント13aに供給するフィラメント予熱電流に強弱をつけるように可変制御する。制御部26により、情報の信号に応じて電界効果トランジスタQ3，Q4を制御し、フィラメント予熱電流に強弱をつけるように可変させ、放電灯13のフィラメント13aから赤外線信号または熱線信号を出力させる。【選択図】図１
2008059964.tif 000002
【特許請求の範囲】
【請求項１】
フィラメントを有する放電灯を点灯させるインバータ回路と；
放電灯のフィラメントに供給するフィラメント予熱電流を可変制御するフィラメント予熱回路と；
外部に送信する情報の信号に応じてフィラメント予熱回路によりフィラメント予熱電流を可変制御させる制御部と；
を具備していることを特徴とする放電灯点灯装置。
【請求項２】
フィラメント予熱回路は、制御部の制御でフィラメント予熱電流を可変制御するスイッチング素子を備えている
ことを特徴とする請求項１記載の放電灯点灯装置。
【請求項３】
制御部は、放電灯の始動前予熱時を除き放電灯の点灯中に信号を出力させる
ことを特徴とする請求項１または２記載の放電灯点灯装置。
【請求項４】
放電灯が配置される器具本体と；
放電灯を点灯させる請求項１ないし３いずれか一記載の放電灯点灯装置と；
を具備していることを特徴とする照明装置。
【発明の詳細な説明】
【技術分野】
【０００１】
本発明は、放電灯を点灯させるとともに放電灯を通じて外部に情報を出力させる放電灯点灯装置、およびこの放電灯点灯装置を用いた照明装置に関する。
【背景技術】
【０００２】
従来、照明装置では、点灯状態などの情報の信号を外部に送信して知らせる機能を有するものがある。この照明装置から信号を外部に送信する方法としては、有線や無線などを用いる方法があるが、有線の場合には信号線を配線施工する必要があり、無線の場合にはシステムが高価になる問題がある。
【０００３】
そこで、配線施工が不要でシステムが安価に構成されるようにするため、信号を放電灯の光出力に含ませる方法が知られている。これは、外部に送信する情報の信号に応じてインバータ回路のスイッチング素子に与える周波数を変調することにより、信号を放電灯の光出力に含ませている。この放電灯の光出力を受信端末で受光し、光出力に含まれる信号を受信するようにしている（例えば、特許文献１参照。）。
【特許文献１】特開２００５−１７６２５７号公報（第６−７頁、図１）
【発明の開示】
【発明が解決しようとする課題】
【０００４】
しかしながら、外部に送信する情報の信号に応じてインバータ回路のスイッチング素子に与える周波数を変調することにより、信号を放電灯の光出力に含ませているため、放電灯の光出力に影響を及ぼし、放電灯の光出力にちらつきなどが発生する問題がある。
【０００５】
本発明は、このような点に鑑みなされたもので、放電灯の光出力への影響が少なく、放電灯を通じて情報を外部に出力できる放電灯点灯装置、およびこの放電灯点灯装置を用いた照明装置を提供することを目的とする。
【課題を解決するための手段】
【０００６】
請求項１記載の放電灯点灯装置は、フィラメントを有する放電灯を点灯させるインバータ回路と；放電灯のフィラメントに供給するフィラメント予熱電流を可変制御するフィラメント予熱回路と；外部に送信する情報の信号に応じてフィラメント予熱回路によりフィラメント予熱電流を可変制御させる制御部と；を具備しているものである。
【０００７】
放電灯は、例えば直管形蛍光ランプなどがある。インバータ回路は、例えばスイッチング素子のオンオフにより直流電源の出力を高周波の交流電源に変換する。フィラメント予熱回路は、例えばスイッチング素子などを用いてフィラメント予熱電流を可変制御する。
【０００８】
そして、外部に送信する情報の信号に応じてフィラメント予熱回路によりフィラメント予熱電流を例えば強弱をつけるように可変制御させることにより、放電灯のフィラメントから赤外線信号または熱線信号として出力し、これを受信端末の赤外線センサまたは熱線センサなどで受光して信号を受信する。
【０００９】
請求項２記載の放電灯点灯装置は、請求項１記載の放電灯点灯装置において、フィラメント予熱回路は、制御部の制御でフィラメント予熱電流を可変制御するスイッチング素子を備えているものである。スイッチング素子は、例えばスイッチング機能と増幅機能とを有する電界効果トランジスタなどが用いられる。
【００１０】
請求項３記載の放電灯点灯装置は、請求項１または２記載の放電灯点灯装置において、制御部は、放電灯の始動前予熱時を除き放電灯の点灯中に信号を出力させるものである。始動前予熱時には信号を出力させないことにより、始動前予熱時での放電灯のフィラメントの過剰予熱または過少予熱を防止する。始動前予熱は適切な量でないと短寿命になることがあるためである。
【００１１】
請求項４記載の照明装置は、放電灯が配置される器具本体と；放電灯を点灯させる請求項１ないし３いずれか一記載の放電灯点灯装置と；を具備しているものである。
【発明の効果】
【００１２】
請求項１記載の放電灯点灯装置によれば、外部に送信する情報の信号に応じてフィラメント予熱回路によりフィラメント予熱電流を可変することにより、インバータ回路の周波数を変調して放電灯の光出力に信号を含ませる場合に比べて、放電灯の光出力への影響が少なく、放電灯を通じて情報を外部に出力できる。
【００１３】
請求項２記載の放電灯点灯装置によれば、請求項１記載の放電灯点灯装置の効果に加えて、制御部の制御でフィラメント予熱電流を可変制御するスイッチング素子を備えることにより、放電灯のフィラメントにフィラメント予熱電流を適切に供給できるとともにフィラメント予熱電流を信号に応じて任意に可変できる。
【００１４】
請求項３記載の放電灯点灯装置によれば、請求項１または２記載の放電灯点灯装置の効果に加えて、放電灯の点灯中に信号を出力し、始動前予熱時には信号を出力させないことにより、始動前予熱時での放電灯のフィラメントの過剰予熱または過少予熱を防止し、始動前予熱を適切にできる。
【００１５】
請求項４記載の照明装置によれば、請求項１ないし３いずれか一記載の放電灯点灯装置を用いることにより、放電灯の光出力に影響が少なく、放電灯を通じて情報を外部に出力できる。
【発明を実施するための最良の形態】
【００１６】
以下、本発明の一実施の形態を図面を参照して説明する。
【００１７】
図１は放電灯点灯装置の回路図、図２は放電灯点灯装置を用いた照明装置の斜視図、図３は照明装置の放電灯から出力される信号を受信する受信端末のブロック図である。
【００１８】
図２に示すように、照明装置は、器具本体11を備え、この器具本体11の両端にソケット12が配設され、これらソケット12間に例えば直管形蛍光ランプなどの放電灯13が電気的および機械的に着脱可能に取り付けられている。器具本体11内には、放電灯13を点灯させる放電灯点灯装置が配設されている。
【００１９】
図１に示すように、放電灯点灯装置21は、交流電源を整流して得られる直流電源22に、インバータ回路23およびフィラメント予熱回路24が並列に接続されている。
【００２０】
インバータ回路23は、直列に接続されたスイッチング素子としての電界効果トランジスタQ1および電界効果トランジスタQ2を有し、これら電界効果トランジスタQ1および電界効果トランジスタQ2が駆動回路25からの制御信号で交互にオンオフ制御される。
【００２１】
電界効果トランジスタQ1と電界効果トランジスタQ2との接続点から直流カット用のコンデンサC1、チョークコイルL1および共振用のコンデンサC2の直列回路が接続され、このコンデンサC2の両端に放電灯13の両端の各フィラメント13aの一端が接続され、チョークコイルL1とコンデンサC2とで共振回路が構成されている。
【００２２】
また、フィラメント予熱回路24は、直列に接続されたスイッチング素子としての電界効果トランジスタQ3および電界効果トランジスタQ4を有し、これら電界効果トランジスタQ1および電界効果トランジスタQ2が制御部26からの制御信号で交互にオンオフ制御される。
【００２３】
電界効果トランジスタQ3と電界効果トランジスタQ4との接続点から直流カット用のコンデンサC3、フィラメント予熱トランスTrの一次コイルTr1の直列回路が接続され、このフィラメント予熱トランスTrの二次コイルTr2に放電灯13の両端の各フィラメント13aが接続されている。
【００２４】
制御部26は、始動前予熱を含む放電灯13のフィラメント13aの予熱を制御する機能とともに、点灯状態などの外部に送信する情報の信号に応じてフィラメント予熱回路24によりフィラメント予熱電流を強弱をつけるように可変制御させる機能を有している。制御部26は、放電灯13の始動前予熱時を除き、放電灯13の点灯中に信号を出力させる。
【００２５】
また、図３には、照明装置の放電灯13から出力される信号を受信する受信端末31を示す。この受信端末31は、赤外線センサまたは熱線センサなどのセンサ32を備え、フィラメント電流の可変によって放電灯13のフィラメント13aから出力される赤外線信号または熱線信号をセンサ32で受信し、受信した信号から点灯状態などの情報を取得する。
【００２６】
そうして、放電灯点灯装置21の直流電源22の投入により、フィラメント予熱回路24の制御部26で電界効果トランジスタQ3，Q4を制御し、フィラメント予熱トランスTrを介して、フィラメント予熱電流を放電灯13のフィラメント13aに供給し、放電灯13のフィラメント13aを予熱する。
【００２７】
インバータ回路23の駆動回路25で電界効果トランジスタQ1，Q2を制御し、高周波電圧をチョークコイルL1とコンデンサC2との共振回路に印加し、フィラメント予熱回路24でフィラメント13aが予熱された放電灯13に共振電圧を印加し、この共振電圧が放電灯13の始動に必要な電圧まで高くなることにより、放電灯13が放電を開始して点灯する。
【００２８】
また、放電灯13の点灯中において、制御部26は、点灯状態などの情報を出力させるために、情報の信号に応じて電界効果トランジスタQ3，Q4を制御してフィラメント予熱電流に強弱をつけるように可変させ、放電灯13のフィラメント13aから赤外線信号または熱線信号として出力させる。
【００２９】
放電灯13のフィラメント13aから出力される赤外線信号または熱線信号を受信端末31のセンサ32で受信し、受信した信号から点灯状態などの情報を取得する。
【００３０】
このように、放電灯点灯装置21から外部に送信する情報の信号に応じてフィラメント予熱回路24によりフィラメント予熱電流に強弱をつけるように可変することにより、従来のようにインバータ回路23の周波数を変調して放電灯13の光出力に信号を含ませる場合に比べて、放電灯13の光出力への影響が少なく、放電灯13を通じて情報を外部に出力できる。
【００３１】
また、制御部26の制御でフィラメント予熱電流を可変制御するスイッチング素子として電界効果トランジスタQ3および電界効果トランジスタQ4を備えることにより、放電灯13のフィラメント13aにフィラメント予熱電流を適切に供給できるとともにフィラメント予熱電流を信号に応じて任意に強弱をつけるように可変できる。
【００３２】
また、制御部26は、放電灯13の点灯中に信号を出力させ、始動前予熱時には信号を出力させないことにより、始動前予熱時での放電灯13のフィラメント13aの過剰予熱または過少予熱を防止し、始動前予熱を適切にできる。
【図面の簡単な説明】
【００３３】
【図１】本発明の一実施の形態を示す放電灯点灯装置の回路図である。
【図２】同上放電灯点灯装置を用いた照明装置の斜視図である。
【図３】同上照明装置の放電灯から出力される信号を受信する受信端末のブロック図である。
【符号の説明】
【００３４】
11    器具本体
13    放電灯
13a   フィラメント
21    放電灯点灯装置
23    インバータ回路
24    フィラメント予熱回路
26    制御部
Q3，Q4    スイッチング素子としての電界効果トランジスタ
【図１】
2008059964.tif 000003
【図２】
2008059964.tif 000004
【図３】
2008059964.tif 000005